(57)【要約】【課題】ドラム式洗濯機のように大きな振動がある洗濯機であっても安定して載置することができ、また、洗濯機を載置した状態で床面上を移動させることで、洗濯機下の掃除や、排水トラップ・防水パンのメンテナンスがしやすく、さらに、排水トラップの設置位置の自由度を高めることができ、そして、洗濯機の設置スペースに融通が利く洗濯機用載置台を提供すること。【解決手段】洗濯機を載せた状態で床面上を移動させ、防水パン２４又は排水トラップ２０の上方所定の高さ位置に洗濯機を配置可能とする洗濯機用載置台１０に洗濯機を載置する枠状の洗濯機載置部１２と、洗濯機載置部１２の各隅部の裏面に設けられた車輪を有するキャスター部１４と、洗濯機載置部の各隅部の表面の所定位置に設けられたゴム製シート板１６と、洗濯機載置部１２の周縁に沿って垂直方向に向けて設けられた立ち上げ壁１８とを備えた。【選択図】図１
2013009897.tif 000002
【特許請求の範囲】
【請求項１】
洗濯機を載せた状態で床面上を移動させ、防水パン又は排水トラップの上方所定の高さ位置に前記洗濯機を配置可能とする洗濯機用載置台であって、
前記洗濯機用載置台は、
前記洗濯機を載置する枠状の洗濯機載置部と、
前記洗濯機載置部の各隅部の裏面に設けられた車輪を有するキャスター部と、
前記洗濯機載置部の各隅部の表面の所定位置に設けられたゴム製シート板と、
前記洗濯機載置部の周縁に沿って垂直方向に向けて設けられた立ち上げ壁と、
を備えることを特徴とする洗濯機用載置台。
【請求項２】
前記キャスター部には、その側面のうち、一方側に、前記防水パンの側面に当接することで、前記車輪の走行方向を規制可能とするガイド部材が前記車輪と所定の間隙をもって設けられていることを特徴とする請求項１記載の洗濯機用載置台。
【発明の詳細な説明】
【技術分野】
【０００１】
本発明は、洗濯機を載置させた状態で床面上を移動させ、防水パンや排水トラップの上方に洗濯機を配置可能とする洗濯機用載置台に関するものである。
【背景技術】
【０００２】
従来から、洗濯機を載置させた状態で床面上を移動させることができるキャスター部品付きの洗濯機用載置台が使われている。例えば、図５に示すように長手方向に伸縮することができる枠体３２と、洗濯機の脚部を載置することができる載置部３４と、載置部３４の表面に貼り付けられている洗濯機の振動を吸収することができる防振パッド３６と、載置部３４の裏面側に取り付けられているキャスター部３８とから成り立っている洗濯機用載置台３０が知られている。
【０００３】
上記洗濯機用載置台３０によると、枠体３２が伸縮機構となっているため、載置する洗濯機の大きさに合わせることが可能となるため、多種多様な洗濯機に利用することができると言われている。また、防振パッド３６によって、洗濯機の脱水時に起こる振動を吸収することができるため、洗濯機のズレを抑えることが可能であるとされている。
【０００４】
また、例えば、特許文献１には、洗濯機を載せることができる載置プレートを装着した台座部材を四隅に備え、各台座部材の対向面に連結桿挿入部と、側板挿入部とを形成し、該連結桿挿入部に連結桿を挿脱自在に接続すると共に、前記側板挿入部に側板を着脱自在に装着した構成で載置台となし、該連結桿挿入部に連結桿の長手方向に連結位置を可変とする取付部を形成し、前記台座部材が、前記載置プレート上に防振ゴムプレートを介して、或いは台座部材上に補カバー板或いは洗濯機排水ホースに接続され排水を処理する排水トラップのあるカバー板を配備し、さらに、前記載置プレートが、金属或いは合成樹脂によって構成した補強板の上部外側縁に縁取り周側片を有し、かつ上面に防振ゴムプレートを貼着され、前記台座部材が、底面部に脚部を備え、該脚部に方向自在の車輪のあるキャスターを着脱自在に装着できるキャスター取付部が設けられた洗濯機載置台が開示されている。
【０００５】
そして、この技術によると、洗い場などの床面での洗濯機に合わせた載置台として洗濯機の載置に自由度を持たせ、コンパクトで体裁良好な洗濯機載置台として、床面上での設置も簡便に行うことができ、しかも点検時に洗濯機を移動したり取り除いたりすることも簡単にでき、また、取り扱いの簡易化を図ることができ、さらに、台座部材に必要に応じてキャスターを装備できるため、洗濯機載置台の設置周りの点検時や清掃時に、載置台とともに洗濯機を移動したり取り除いたりでき、取り扱いの簡易化が図れるとしている。
【先行技術文献】
【特許文献】
【０００６】
【特許文献１】特開２００７−４４３９０
【発明の概要】
【発明が解決しようとする課題】
【０００７】
しかしながら、上記従来の洗濯機用載置台は、枠体３２が、伸縮機構であるため、ガタ付きがあり、例えば、ドラム式洗濯機のように大きな振動がある洗濯機を載置するのには、不向きであるという指摘がされていた。また、特許文献１に開示されている洗濯機用載置台は、連結桿挿入部に連結桿の長手方向に連結位置を可変とする取付部が形成されているため、従来の洗濯機用載置台と同様に、ガタ付きの面での不安が残っている。
【０００８】
本発明は、上述の課題に鑑みなされたもので、例えば、ドラム式洗濯機のように大きな振動がある洗濯機であっても安定して載置することができ、また、洗濯機を載置した状態で床面上を移動させることで、洗濯機下の掃除や、排水トラップ・防水パンのメンテナンスがしやすく、さらに、排水トラップの設置位置の自由度を高めることができ、そして、洗濯機の設置スペースに融通が利く洗濯機用載置台を提供することにある。
【課題を解決するための手段】
【０００９】
上記目的を達成するため、本発明は、以下の技術的手段を講じている。
即ち、請求項１記載の発明は、洗濯機を載せた状態で床面上を移動させ、防水パン又は排水トラップの上方所定の高さ位置に前記洗濯機を配置可能とする洗濯機用載置台であって、前記洗濯機用載置台は、前記洗濯機を載置する枠状の洗濯機載置部と、前記洗濯機載置部の各隅部の裏面に設けられた車輪を有するキャスター部と、前記洗濯機載置部の各隅部の表面の所定位置に設けられたゴム製シート板と、前記洗濯機載置部の周縁に沿って垂直方向に向けて設けられた立ち上げ壁とを備えることを特徴とする洗濯機用載置台である。
【００１０】
また、請求項２記載の発明は、請求項１記載の洗濯機用載置台であって、前記キャスター部には、その側面のうち、一方側に、前記防水パンの側面に当接することで、前記車輪の走行方向を規制可能とするガイド部材が前記車輪と所定の間隙をもって設けられていることを特徴としている。
【発明の効果】
【００１１】
請求項１記載の洗濯機用載置台によると、洗濯機を載せた状態で床面上を移動させ、防水パン又は排水トラップの上方所定の高さ位置に前記洗濯機を配置可能とする洗濯機用載置台であって、前記洗濯機用載置台は、前記洗濯機を載置する枠状の洗濯機載置部と、前記洗濯機載置部の各隅部の裏面に設けられた車輪を有するキャスター部と、前記洗濯機載置部の各隅部の表面の所定位置に設けられたゴム製シート板と、前記洗濯機載置部の周縁に沿って垂直方向に向けて設けられた立ち上げ壁とを備えることを特徴としているため、例えば、ドラム式洗濯機のように振動の強い洗濯機であっても、枠状の洗濯機載置部が固定式のため、安定して載置することができる。
【００１２】
また、ゴム製シート板や、立ち上げ壁により、洗濯機の滑りを防止することも可能となっている。さらに、洗濯機載置部が枠状となっているため、排水トラップの設置位置に自由度を持たせることができるという効果も奏している。またさらに、洗濯機を載置した状態で床面上を移動できるキャスター部が設けられていることから、洗濯機下の掃除やメンテナンスを容易に行うことができる。そのため、従来は洗濯機を持ち上げるために手を入れるスペースを考慮しなくてはならなかったが、そのスペースが不要になり、利便性が高まることになる。
【００１３】
また、請求項２記載の洗濯機用載置台によると、請求項１記載の洗濯機用載置台において、前記キャスター部には、その側面のうち、一方側に、前記防水パンの側面に当接することで、前記車輪の走行方向を規制可能とするガイド部材が前記車輪と所定の間隙をもって設けられていることを特徴としているため、予め設置されている防水パン上に洗濯機を移動させる際に、このガイド部材が、防水パンの側面に当設することで、車輪の走行をうまくコントロールすることができるようになる。
【図面の簡単な説明】
【００１４】
【図１】本発明に係る洗濯機用載置台の第１の実施形態を示した概略図で、（ａ）は正面図、（ｂ）は平面図、（ｃ）は側面図、（ｄ）は斜視図である。
【図２】本発明に係る洗濯機用載置台の第１の実施形態の側面であって、床面に排水トラップが設けられている状態を示した概略図である。
【図３】本発明に係る洗濯機用載置台の第２の実施形態を示した概略図で、（ａ）は正面図、（ｂ）は平面図、（ｃ）は側面図である。
【図４】本発明に係る洗濯機用載置台の第２の実施形態の側面であって、床面に防水パンが設けられている状態を示した概略図である。
【図５】従来の洗濯機用載置台を示した図である。
【発明を実施するための形態】
【００１５】
以下、本発明の第１の実施形態について、図面を参照して説明する。
図１は、本発明に係る洗濯機用載置台の第１の実施形態を示した概略図で、（ａ）は正面図、（ｂ）は平面図、（ｃ）は側面図、（ｄ）は斜視図である。また、１０は洗濯機用載置台、１２は洗濯機載置部、１４はキャスター部、１６はゴム製シート板、１８は立ち上げ壁、２０は排水トラップを表している。
【００１６】
本実施例における洗濯機用載置台１０は、図１に示すように、枠状に形成された洗濯機載置部１２により、洗濯機を載置することが可能となっている。この洗濯機載置部１２は、固定式であることからガタ付きが無く、例えば、振動の強いドラム式洗濯機を載置した場合でも、その振動に耐えることができるわけである。また、洗濯機載置部１２は、枠状であるため、例えば、洗濯機からの排水ホースを洗濯機載置部１２の下にもっていきやすくなっている。
【００１７】
さらに、洗濯機載置部１２の各隅の裏面には、車輪を有するキャスター部１４が設けられているため、洗濯機を載置した状態で、床面上を自在に移動することができ、そのため、図２に示すように、排水トラップ２０を洗濯機用載置台１０の真下に設置することが可能となり、従来は、洗濯機を手で持ち上げて設置するためのスペースが必要だったところ、そのスペースを不要とし、洗濯機の幅（最小寸法）さえあれば設置することができるようになっている（狭いスペースであっても、洗濯機を設置することができる）。
【００１８】
また、床面から洗濯機載置部１２までの高さをある程度高く設定することで、排水ホース２０を接続しやすくしている。またさらに、洗濯機を載置する際によく用いられる台座を必要としないので、洗濯機が、上部に位置する水栓にぶつからないというメリットがある。
【００１９】
またさらに、洗濯機載置部１２の各隅の表面には、ゴム製シート板１６が貼り付けられているため、振動による洗濯機のズレや、洗濯機を載置した状態での移動時等にズレることを防止することができる。そして、洗濯機載置部１２の周縁には、その周縁に沿って、垂直方向に向かった所定高さの立ち上げ壁１８が設けられているため、ゴム製シート板１６同様、振動による洗濯機のズレや、載置した洗濯機が移動時等にズレることを防止することができるようになっている。
【００２０】
次に、本発明の第２の実施形態について、図面を参照して説明する。
図３は、本発明に係る洗濯機用載置台の第２の実施形態を示した概略図で、（ａ）は正面図、（ｂ）は平面図、（ｃ）は側面図である。また、１０は洗濯機用載置台、１２は洗濯機載置部、１４はキャスター部、１６はゴム製シート板、１８は立ち上げ壁、２２はガイド部材、２４は防水パンを表している。
【００２１】
本実施例における洗濯機用載置台１０は、図３に示すように、枠状に形成された洗濯機載置部１２により、洗濯機を載置することが可能となっている。この洗濯機載置部１２は、固定式であることからガタ付きが無く、例えば、振動の強いドラム式洗濯機を載置した場合でも、その振動に耐えることができるわけである。また、洗濯機載置部１２は、枠状であるため、例えば、洗濯機からの排水ホースを洗濯機載置部１２の下にもっていきやすくなっている。
【００２２】
さらに、洗濯機載置部１２の各隅の裏面には、車輪を有するキャスター部１４が設けられているため、洗濯機を載置した状態で、床面上を自在に移動することができ、そのため、図４に示すように、防水パン２４の真上に、洗濯機を載置した洗濯機用載置台１０を移動することが可能となり、従来は、洗濯機を手で持ち上げて設置するためのスペースが必要だったところ、そのスペースを不要とし、洗濯機の幅（最小寸法）さえあれば設置することができるようになっている（狭いスペースであっても、洗濯機を設置することができる）。
【００２３】
また、床面から洗濯機載置部１２までの高さをある程度高く設定することで、洗濯機のホースと、防水パン２４とを接続しやすくしている。またさらに、洗濯機を載置する際によく用いられる台座を必要としないので、洗濯機が、防水パン２４の高さよりもあまり高くならず、上部に位置する水栓にぶつからないというメリットがある。
【００２４】
またさらに、洗濯機載置部１２の各隅の表面には、ゴム製シート板１６が貼り付けられているため、振動による洗濯機のズレや、洗濯機を載置した状態での移動時等にズレることを防止することができる。そして、洗濯機載置部１２の周縁には、その周縁に沿って、垂直方向に向かった所定高さの立ち上げ壁１８が設けられているため、ゴム製シート板１６同様、振動による洗濯機のズレや、載置した洗濯機が移動時等にズレることを防止することができるようになっている。
【００２５】
また、キャスター部１４には、その側面のうち、一方の側に、ガイド部材２４が車輪と所定の間隙をもって設けられており、このガイド部材２４が、防水パン２４の側面に当接することで、キャスター部１４の車輪の走行方向を規制することができるようになっているわけである。さらに、防水パン２４の外形をガイドにして洗濯機用載置台１０をスライド移動させることができるため、防水パン２４に設けられている排水トラップの洗浄を容易にすることもできる。なお、本実施形態では、４つのキャスター部１４のうち、２つのキャスター部１４にガイド部材２４が設けられているが、本発明はこれに限定されるものではない。また、ガイド部材２４に、クッション材を用いると、防水パン２４の側面に付け得る傷を防止することが可能となる。
【産業上の利用可能性】
【００２６】
本発明は、洗濯機を載置した状態で、床面上を移動可能な洗濯機用載置台であるため、煩雑であった洗濯機の配置や防水パン・排水トラップの設置を容易に行うに極めて有用である。また、防水パン・排水トラップの洗浄をする際にも好適に用いることができるものである。
【符号の説明】
【００２７】
１０  洗濯機用載置台
１２  洗濯機用載置部
１４  キャスター部
１６  ゴム製シート板
１８  立ち上げ壁
２０  排水トラップ
２２  ガイド部材
２４  防水パン
【図１】
2013009897.tif 000003
【図２】
2013009897.tif 000004
【図３】
2013009897.tif 000005
【図４】
2013009897.tif 000006
【図５】
2013009897.tif 000007